(57)【要約】【課題】  苺、無花果、サクランボ、プチトマト、ぶどう、さやえんどう等の果菜類を傷めることなく果菜類をパック詰した果菜類用トレーを箱詰めして運搬、保管することのできる段ボール包装箱を提供する。【解決手段】矩形の底板部２の四辺に側板部３、３、４、４を起立させてなる包装箱本体１に、これに収納する合成樹脂製の果菜類用トレー１０１の上縁に外向きに形成した庇部１０１ｂを支持するための係止手段を設ける。これにより、果菜類例えば苺を収納した合成樹脂製の果菜類用トレー１０１は包装箱本体１に、宙吊り状に収納されてその底部１０１ａを底板部２と接触しないものであるから、果菜類用トレー１０１の底部に位置する苺が輸送中の振動等で該底部を介して包装箱本体の硬い底板部に押圧されることがないので傷むことがないものである。  【選択図】    図２
2005015046.tif 000002
【特許請求の範囲】
【請求項１】
矩形の底板部の四辺に側板部を起立させてなる包装箱本体に、これに収納する合成樹脂製の果菜類用トレーの上縁に外向きに形成した庇部を支持するための係止手段を設けたことを特徴とする段ボール包装箱。
【請求項２】
包装箱本体を仕切板により区画して複数の果菜類用トレー収納部を形成して、該包装箱本体の一方の対向する側板部を底板部の対向辺から折曲形成した外側板部とこれに続く上端板部を介して折返し形成した内側板部よりなるものとしたうえ、この内側板部に係止手段を切起こし形成し、また、内側板部と並行に配設した仕切板に係止手段を設けた請求項１に記載の段ボール包装箱。
【請求項３】
仕切板に設けた係止手段が仕切板の前後面に添装する２枚の脚板部を仕切板の中央に上端縁から中間部に亘り設けた指挿入用の切欠部を跨ぐ連結片により連結された係止枠材よりなるものとした請求項２に記載の段ボール包装箱。
【発明の詳細な説明】
【技術分野】
【０００１】
本発明は、苺、無花果、サクランボ、プチトマト、ぶどう、さやえんどう等の果菜類を収納した果菜類用トレーを箱詰めして運搬、保管するために使用する段ボール包装箱に関するものである。
【背景技術】
【０００２】
苺、無花果、サクランボ、プチトマト、ぶどう、さやえんどう等の果菜類を収納した合成樹脂製の果菜類用トレーはそのままでは、段積み運搬、保管できないため段ボール包装箱に箱詰めして行う必要がある。そのため、従来は図１０に示すように、トレー１０１をその底部１０１ａを段ボール包装箱１０２の底板部１０２ａに支持させて収納するものであった。（例えば、特許文献１参照）
ところが、前記した従来のものは、トレー１０１の底部１０１ａが段ボール包装箱１０２の底板部１０２ｂに支持されているため、トレー１０１の底部１０１ａに位置する果菜類例えば苺が輸送中の振動等で該底部１０１ａを介して段ボール包装箱１０２の底板部１０２ｂに押圧されて傷む問題がある。
【特許文献１】特開２００２−３０２１１８公報（図７）
【発明の開示】
【発明が解決しようとする課題】
【０００３】
本発明は前記のような従来の問題を解決して、トレー内の苺、無花果、サクランボ、プチトマト、ぶどう、さやえんどう等の果菜類が傷むことなく箱詰することのできる段ボール包装箱を提供するものである。
【課題を解決するための手段】
【０００４】
本発明の段ボール包装箱は、矩形の底板部の四辺に側板部を起立させてなる包装箱本体に、これに収納する合成樹脂製の果菜類用トレーの上縁に外向きに形成した庇部を支持するための係止手段を設けたことを特徴とするものを請求項１に記載に係る発明とし、この発明において、包装箱本体を仕切板により区画して複数の果菜類用トレー収納部を形成して、該包装箱本体の一方の対向する側板部を底板部の対向辺から折曲形成した外側板部とこれに続く上端板部を介して折返し形成した内側板部よりなるものとして、この内側板部に係止手段を切起こし形成し、また、内側板部と並行に配設した仕切板に係止手段を設けたものを請求項２に記載に係る発明とし、さらに、この請求項２にか係る発明において、仕切板に設けた係止手段が仕切板の前後面に添装する２枚の脚板部を仕切板の中央に上端縁から中間部に亘り設けた指挿入用の切欠部を跨ぐ連結片により連結された係止枠材よりなるものとしたものを請求項３に記載に係る発明とするものである。
【発明の効果】
【０００５】
前記した発明によれば、苺、無花果、サクランボ、プチトマト、ぶどう、さやえんどう等の果菜類を収納した合成樹脂製の果菜類用トレーは包装箱本体に、上縁に外向きに形成した庇部を包装箱本体に設けた係止手段により支持されて、宙吊り状に収納されてその底部を底板部と接触しないものであるから、果菜類用トレーに収納した底部に位置する苺、無花果、サクランボ、プチトマト、ぶどう、さやえんどう等の果菜類が輸送中の振動等で該底部を介して包装箱本体の硬い底板部に押圧されることがないので傷むことがないものである。
【発明を実施するための最良の形態】
【０００６】
次に、本発明の好ましい形態を図示の苺をパック詰した合成樹脂製の果菜類用トレーを収納する段ボール包装箱により説明する。
【０００７】
1は矩形の底板部２の四辺に側板部すなわち前後側板部３、３と左右側板部４、４を折曲線を介して起立してなる包装箱本体である。この包装箱本体１にはこれに収納する合成樹脂製の果菜類用トレー１０１の上縁に外向きに形成した庇部１０１ｂを支持する係止手段が設けてあり、この係止手段により果菜類用トレー１０１は図２に示すように宙吊り状として低部１０１を底板部２と接触することなく包装箱本体１に収納されることとなる。
【０００８】
図示の実施形態にあっては、包装箱本体１を縦横の各１枚の仕切板５、６をこれに対向して設けた上下の切込５ａ、６ａにより十字状に組み込んで４区画の果菜類用トレー収納部７に仕切って、各果菜類用トレー収納部７毎に合成樹脂製の果菜類用トレー１０１の上縁に外向きに形成した庇部１０１ｂを支持する係止手段が設けてある。
【０００９】
すなわち、包装箱本体１の一方の対向する側板部すなわち前後側板部３、３とこれに並行させた横の仕切板６に果菜類用トレー収納部７の前後方向に向かい合うように係止手段が設けてある。前後側板部３、３に設けた係止手段は、側板部３を底板部２の対向辺から折曲形成した外側板部３ａとこれに続く上端板部３ｂを介して折返し形成した内側板部３ｃよりなるものとして、この内側板部３ｃに門形の切り込み８１により形成される上向きの舌片８を切起こして形成したものであり、該舌片８の上端に庇部１０１ｂを支持させるものとしている。
【００１０】
また、横の仕切板６に設けた係止手段は、仕切板６の前後面に添装する２枚の脚板部９１、９１を仕切板６の中央に上端縁から中間部に亘り設けた指挿入用の切欠部６１を跨ぐ連結片９２により連結された係止枠材９よりなるものとして、該脚板部９１、９１の上端をもって果菜類用トレー１０１の庇部１０１ｂを支持するものとしている。なお、図１、２及び５に示すものは係止枠材９を縦の仕切板５で左右に仕切られた横の仕切板６のそれぞれの仕切部に独立させて設ける構造としたものであるが、図７に示すように連設させて縦の仕切板５と組み込めるものとしてもよい。また、係止枠材９の両脚板部９１、９１の下端には段ボール板厚の高さの差込片９１ａが突設されていて、底板部２に設けた前記連結片９２の幅より細幅として長孔２ａに嵌合して脚板部９１の上端側が仕切板６より果菜類用トレー収納部７の内側に位置するようにして果菜類用トレー１０１の庇部１０１ｂが的確に支持できるものとしている。
【００１１】
さらに、横の仕切板６に設ける係止手段としては、図９に示すように仕切板６を２枚の仕切板部６ｂ、６ｂを折曲形成した２重構造として、各仕切板部６ｂに前記前後側板部３、３に設けた係止手段と同様に門形の切り込み８１により上向きの舌片８を形成したものとして、該舌片８の上端に庇部１０１ｂを支持したものとしてもよい。
【００１２】
このように構成されたものは、苺を収納した合成樹脂製の果菜類用トレー１０１を包装箱本体１すなわち縦横の各１枚の仕切板５、６により４区画に仕切られた果菜類用トレー収納部７に収納すれば、包装箱本体１すなわち果菜類用トレー収納部７には、果菜類用トレー１０１の上縁に外向きに形成した庇部１０１ｂを支持する係止手段が設けてあるので、果菜類用トレー１０１は庇部１０１ｂにより係止手段により宙吊り状に収納されてその底部１０１ａが底板部２と接触しないものであるから、果菜類用トレー１０１に収納した底部に位置する苺が輸送中の振動等で該底部１０１ａを介して包装箱本体１の硬い段ボール製の底板部２に押圧されることがないので傷むことがなく鮮度を保つことができるものである。
【００１３】
また、前後側板部３、３に設ける係止手段を、側板部３を底板部２の対向辺から折曲形成した外側板部３ａと上端板部３ｂを介して折返し形成した内側板部３ｃよりなるものとしたうえ、この内側板部３ｃに門形の切り込み８１により形成される上向きの舌片８を切起こして形成したものとすることにより、底板部２の他方の対向辺より折曲形成した左右側板部４、４の両側に折曲させて連設した連結板部４１を該外側板部３ａと内側板部３ｃとの間に挟持できるうえ、縦の仕切板５の両端上部に設けたフック部５１を嵌合する係止孔３３を設けることができ容易に組み立てできるものである。
【００１４】
また、包装箱本体１は段積みした場合に前後左右にずれることがないものとするため、前後板部３、３の上端すなわち上端板部３ｂから外側板部３ａと内側板部３ｃの上部に亘る切込３１、３１を所要の間隔をおいて設けその間隔の上端板部３ｂを山型突起３２に形成して、該山型突起３２を底板部２に形成した係止孔２ｂに係合させるとともに、左右側板部４、４の中央上端にガード片部４２、４２を連設して上部に位置する包装箱本体１の左右側板部４、４の下端外部をガードするものとしている。
【００１５】
また、横の仕切板６に設ける係止手段を、仕切板６の前後面に添装する２枚の脚板部９１、９１を仕切板６の中央に上端縁から中間部に亘り設けた指挿入用の切欠部６１を跨ぐ連結片９２により連結された係止枠材９よりなるものとすることにより、組付ける際の位置決めが容易なものである。さらに、合成樹脂製の果菜類用トレー１０１は薄肉でも強度を持たせるため、補強用の庇部１０１ｂを上縁に外向きに形成するものが普通であるから、本発明に係る段ボール包装箱のための専用の果菜類用トレーを製造する必要がないものである。なお、この実施の形態は果菜類のうち苺をパック詰した果菜類用トレー１０１について説明したが、他の無花果、サクランボ、プチトマト、ぶどう、さやえんどう等の果菜類においても使用できることは勿論である。
【産業上の利用可能性】
【００１６】
以上に説明したように、本発明の段ボール包装箱は、苺、無花果、サクランボ、プチトマト、ぶどう、さやえんどう等の果菜類をパック詰した合成樹脂製の果菜類用トレーを包装箱本体に、宙吊り状に収納するので、果菜類用トレーの底部が包装箱本体底板部に接触しないので、果菜類用トレーに収納した底部に位置する苺等の果菜類が輸送中の振動等で該底部を介して包装箱本体の硬い底板部に押圧されることがなく傷むことがないものである。したがって、合成樹脂製の果菜類用トレーにパック詰した果菜類を適格に輸送、保管できるものである。
【図面の簡単な説明】
【００１７】
【図１】本発明の実施形態を示す斜視図である。
【図２】本発明の実施形態を示す要部の断面図である。
【図３】本発明の実施形態に使用する包装箱本体を一部分解して示す斜視図である。
【図４】本発明の実施形態に使用する包装箱本体の組み立て用の素板を示す正面図である。
【図５】本発明の実施形態に使用する仕切板とこれに設ける係止手段の係止枠材の１例を示す斜視図である。
【図６】本発明の実施形態に使用する係止手段の係止枠材の組み立て用の素板を示す正面図である。
【図７】本発明の実施形態に使用する仕切板とこれに設ける係止手段の係止枠材の他例を示す斜視図である。
【図８】本発明の実施形態に使用する係止手段の係止枠材の他例の組み立て用の素板を示す正面図である。
【図９】本発明の実施形態に使用する仕切板とこれに設ける係止手段を示す斜視図である。
【図１０】従来例を示す断面図である。
【符号の説明】
【００１８】
１  包装箱本体
２  底板部
３  前後側板部
3a  外側板部
3c  内側板部
４  左右側板部
５  仕切板
６  仕切板
61  指挿入用の切欠部
７  果菜類用トレー収納部
101  合成樹脂製の果菜類用トレー
101a  底部
101b  庇部
【図１】
2005015046.tif 000003
【図２】
2005015046.tif 000004
【図３】
2005015046.tif 000005
【図４】
2005015046.tif 000006
【図５】
2005015046.tif 000007
【図６】
2005015046.tif 000008
【図７】
2005015046.tif 000009
【図８】
2005015046.tif 000010
【図９】
2005015046.tif 000011
【図１０】
2005015046.tif 000012